(57)【要約】【課題】  印刷用紙に複数のインクを印刷し、その印刷したインクを測定して得られる色特性の値に基づいて、その測定に用いた印刷用紙とは表面状態の異なる印刷用紙にインクを印刷または複数のインクを刷り重ねて印刷して得られる色を推定すること。【解決手段】  色材を印刷した記録媒体上における色材の色特性の値を測定する第１の測定段階と、色材を印刷した記録媒体の色特性の値を測定する第２の測定段階と、表面状態の異なる他の記録媒体の色特性の値を測定する第３の測定段階と、第１乃至第３の測定段階で測定した色特性の値を用い、色材を印刷した記録媒体と表面状態の異なる他の記録媒体との表面状態の違いに基づいて、表面状態の異なる他の記録媒体に色材を印刷して得られる色を推定する推定段階と、を含む。【選択図】      図６
2005142994.tif 000002
【特許請求の範囲】
【請求項１】
顔料を含んでなる色材を印刷した記録媒体上における前記色材の色に基づいて、前記記録媒体とは表面状態の異なる他の記録媒体に前記色材を印刷して得られる色を推定する色推定方法であって、
前記色材を印刷した記録媒体上における前記色材の色特性の値を測定する第１の測定段階と、
前記色材を印刷した記録媒体の色特性の値を測定する第２の測定段階と、
前記表面状態の異なる他の記録媒体の色特性の値を測定する第３の測定段階と、
前記第１乃至第３の測定段階で測定した色特性の値を用い、前記色材を印刷した記録媒体と前記表面状態の異なる他の記録媒体との表面状態の違いに基づいて、前記表面状態の異なる他の記録媒体に前記色材を印刷して得られる色を推定する推定段階と、を含むことを特徴とする色推定方法。
【請求項２】
前記色特性の値は、光の各波長λに対する分光濃度であって、
前記第１の測定段階は、前記色材を印刷した記録媒体上における前記色材の光の各波長λに対する分光濃度ＳＤ１（λ）を測定し、
前記第２の測定段階は、前記色材を印刷した記録媒体の光の各波長λに対する分光濃度ＳＤＷ１（λ）を測定し、
前記第３の測定段階は、前記表面状態の異なる他の記録媒体の光の各波長λに対する分光濃度ＳＤＷｄ（λ）を測定し、
前記推定段階は、前記色材を印刷した記録媒体と前記表面状態の異なる他の記録媒体との表面状態の違いに基づいて前記分光濃度ＳＤ１（λ）と前記分光濃度ＳＤＷ１（λ）との差分を調整した値と、前記分光濃度ＳＤＷｄ（λ）とを加算し、その結果を前記表面状態の異なる他の記録媒体に前記色材を印刷して得られる色の分光濃度ＳＤＭ１（λ）として推定する請求項１に記載の色推定方法。
【請求項３】
予め、前記色材を印刷した記録媒体と前記表面状態の異なる他の記録媒体との表面状態の違いに基づいて係数を準備する準備段階を更に含み、
前記推定段階の前記調整は、前記分光濃度ＳＤ１（λ）と前記分光濃度ＳＤＷ１（λ）との差分に前記係数を掛けて行う請求項２に記載の色推定方法。
【請求項４】
前記推定段階は、前記分光濃度ＳＤＭ１（λ）を推定し、更に、前記分光濃度ＳＤＭ１（λ）を表色系の値に変換する請求項２または請求項３に記載の色推定方法。
【請求項５】
前記色材は、顔料を含んでなる複数の色材を刷り重ねたものを含む請求項１乃至請求項４のいずれかに記載の色推定方法。
【請求項６】
顔料を含んでなる第１の色材を印刷した第１の記録媒体上における前記色材の色と顔料を含んでなる第２の色材を印刷した第２の記録媒体上における前記色材の色に基づいて、前記第１または第２の記録媒体とは表面状態の異なる他の記録媒体に前記第１の色材の上に前記第２の色材を刷り重ねて印刷して得られる色を推定する色推定方法であって、
前記第１の記録媒体上における前記第１の色材の色特性の値を測定する第１の測定段階と、
前記第１の記録媒体の色特性の値を測定する第２の測定段階と、
前記第２の記録媒体上における前記第２の色材の色特性の値を測定する第３の測定段階と、
前記第２の記録媒体の色特性の値を測定する第４の測定段階と、
前記表面状態の異なる他の記録媒体の色特性の値を測定する第５の測定段階と、
前記第１乃至第５の測定段階で測定した色特性の値を用い、前記第１及び第２の記録媒体と前記表面状態の異なる他の記録媒体との表面状態の違いに基づいて、前記表面状態の異なる他の記録媒体上に前記第１の色材の上に前記第２の色材を刷り重ねて印刷して得られる色を推定する推定段階と、を含むことを特徴とする色推定方法。
【請求項７】
前記色特性の値は、光の各波長λに対する分光濃度であって、
前記第１の測定段階は、前記第１の記録媒体上における前記第１の色材の色の光の各波長λに対する分光濃度ＳＤ１（λ）を測定し、
前記第２の測定段階は、前記第１の記録媒体の光の各波長λに対する分光濃度ＳＤＷ１（λ）を測定し、
前記第３の測定段階は、前記第２の記録媒体上における前記第２の色材の色の光の各波長λに対する分光濃度ＳＤ２（λ）を測定し、
前記第４の測定段階は、前記第２の記録媒体の光の各波長λに対する分光濃度ＳＤＷ２（λ）を測定し、
前記第５の測定段階は、前記表面状態の異なる他の記録媒体の光の各波長λに対する分光濃度ＳＤＷｄ（λ）を測定し、
前記推定段階は、前記第１乃至第５の測定段階で測定した分光濃度を用い、前記第１及び第２の記録媒体と前記表面状態の異なる他の記録媒体との表面状態の違いに基づいて、前記表面状態の異なる他の記録媒体上に前記第１の色材の上に前記第２の色材を刷り重ねて印刷して得られる色の分光濃度ＳＤＭ１２（λ）を推定する請求項６に記載の色推定方法。
【請求項８】
前記推定段階は、前記光の各波長λ毎に、前記第１の記録媒体と前記表面状態の異なる他の記録媒体との表面状態の違いに基づいて前記分光濃度ＳＤ１（λ）と前記分光濃度ＳＤＷ１（λ）との差分を調整した値と、前記第２の記録媒体と前記表面状態の異なる他の記録媒体との表面状態の違いに基づいて前記分光濃度ＳＤ２（λ）と前記分光濃度ＳＤＷ２（λ）との差分を調整した値と、前記分光濃度ＳＤＷｄ（λ）とを加算し、その結果を前記分光濃度ＳＤＭ１２（λ）として推定する請求項７に記載の色推定方法。
【請求項９】
前記推定段階は、前記光の各波長λ毎に、前記第１の記録媒体と前記表面状態の異なる他の記録媒体との表面状態の違いに基づいて前記分光濃度ＳＤ１（λ）と前記分光濃度ＳＤＷ１（λ）との差分を調整した値に比例する値と、前記第２の記録媒体と前記表面状態の異なる他の記録媒体との表面状態の違いに基づいて前記分光濃度ＳＤ２（λ）と前記分光濃度ＳＤＷ２（λ）との差分を調整した値に比例する値と、前記分光濃度ＳＤＷｄ（λ）とを加算し、その結果を前記分光濃度ＳＤＭ１２（λ）として推定する請求項７に記載の色推定方法。
【請求項１０】
前記推定段階は、前記光の各波長λ毎に、前記第１の記録媒体と前記表面状態の異なる他の記録媒体との表面状態の違いに基づいて前記分光濃度ＳＤ１（λ）と前記分光濃度ＳＤＷ１（λ）との差分を調整した値に比例する値と、前記第２の記録媒体と前記表面状態の異なる他の記録媒体との表面状態の違いに基づいて前記分光濃度ＳＤ２（λ）と前記分光濃度ＳＤＷ２（λ）との差分を調整した値に比例する値と、前記分光濃度ＳＤＷｄ（λ）とを加算し、さらに２つの前記調整した値に比例する値の積に比例する値を前記加算結果から減算し、その結果を前記分光濃度ＳＤＭ１２（λ）として推定する請求項７に記載の色推定方法。
【請求項１１】
予め、前記第１及び第２の記録媒体のそれぞれと前記表面状態の異なる他の記録媒体との表面状態の違いに基づいてそれぞれの係数を準備する準備段階を更に含み、
前記推定段階の前記調整は、前記分光濃度ＳＤ１（λ）と前記分光濃度ＳＤＷ１（λ）との差分及び前記分光濃度ＳＤ２（λ）と前記分光濃度ＳＤＷ２（λ）との差分に前記それぞれの係数を掛けて行う請求項８乃至請求項１０のいずれかに記載の色推定方法。
【請求項１２】
前記推定段階は、前記分光濃度ＳＤＭ１２（λ）を推定し、更に、前記分光濃度ＳＤＭ１２（λ）を表色系の値に変換する請求項７乃至請求項１１のいずれかに記載の色推定方法。
【請求項１３】
前記第１の色材は、顔料を含んでなる複数の色材を刷り重ねたものを含む請求項６乃至請求項１２のいずれかに記載の色推定方法。
【請求項１４】
顔料を含んでなる色材を印刷した記録媒体上における前記色材の色に基づいて、前記色材の網点画像を前記記録媒体とは表面状態の異なる他の記録媒体上に印刷して得られる網点画線部の色を目標の色として再現するように複数の基本色の出力強度を変化させて色調整を行う色調整方法であって、
前記複数の基本色の出力強度とＬ＊ａ＊ｂ＊表色系の値との間の対応関係を示す参照テーブルを予め格納する格納段階と、
前記色材を印刷した記録媒体上における前記色材、前記色材を印刷した記録媒体、及び、前記表面状態の異なる他の記録媒体の色特性の値を用い、前記色材を印刷した記録媒体と前記表面状態の異なる他の記録媒体との表面状態の違いに基づいて、前記表面状態の異なる他の記録媒体に前記色材を印刷して得られる色のＬ＊ａ＊ｂ＊表色系の値を推定する推定段階と、
前記推定段階で得られたＬ＊ａ＊ｂ＊表色系の値と前記参照テーブルとにより、前記目標となる色を再現するための前記複数の基本色の出力強度の組み合わせを求めカラーチャンネルテーブルを生成する生成段階と、を含み、
前記カラーチャンネルテーブルに基づいて、前記複数の基本色の出力強度を変化させて色調整を行うことを特徴とする色調整方法。
【請求項１５】
前記色特性の値は、光の各波長λに対する分光濃度であって、
前記推定段階は、前記色材を印刷した記録媒体上における前記色材、前記色材を印刷した記録媒体、及び、前記表面状態の異なる他の記録媒体の各々の分光濃度としての分光濃度ＳＤ１（λ）、分光濃度ＳＤＷ１（λ）、及び、分光濃度ＳＤＷｄ（λ）を用い、前記色材を印刷した記録媒体と前記表面状態の異なる他の記録媒体との表面状態の違いに基づいて前記分光濃度ＳＤ１（λ）と前記分光濃度ＳＤＷ１（λ）との差分を調整した値と、前記分光濃度ＳＤＷｄ（λ）とを加算し、その結果を前記表面状態の異なる他の記録媒体に前記色材を印刷して得られる色の分光濃度ＳＤＭ１（λ）として推定し、更に、前記分光濃度ＳＤＭ１（λ）をＬ＊ａ＊ｂ＊表色系の値に変換する請求項１４に記載の色調整方法。
【請求項１６】
予め、前記色材を印刷した記録媒体と前記表面状態の異なる他の記録媒体との表面状態の違いに基づいて係数を準備する準備段階を更に含み、
前記推定段階の前記調整は、前記分光濃度ＳＤ１（λ）と前記分光濃度ＳＤＷ１（λ）との差分に前記係数を掛けて行う請求項１５に記載の色調整方法。
【請求項１７】
前記色材は、顔料を含んでなる複数の色材を刷り重ねたものを含む請求項１４乃至請求項１６のいずれかに記載の色調整方法。
【請求項１８】
顔料を含んでなる第１の色材を印刷した第１の記録媒体上における前記色材の色と顔料を含んでなる第２の色材を印刷した第２の記録媒体上における前記色材の色に基づいて、前記第１及び第２の色材の網点画像を前記第１及び第２の記録媒体とは表面状態の異なる他の記録媒体上に印刷して得られる網点画線部の色を目標の色として再現するように複数の基本色の出力強度を変化させて色調整を行う色調整方法であって、
前記複数の基本色の出力強度とＬ＊ａ＊ｂ＊表色系の値との間の対応関係を示す参照テーブルを予め格納する格納段階と、
前記第１の記録媒体上における前記第１の色材、前記第１の記録媒体、前記第２の記録媒体上における前記第２の色材、前記第２の記録媒体、及び、前記表面状態の異なる他の記録媒体の色特性の値を用い、前記第１及び第２の記録媒体と前記表面状態の異なる他の記録媒体との表面状態の違いに基づいて、前記表面状態の異なる他の記録媒体上に前記第１の色材の上に前記第２の色材を刷り重ねて印刷して得られる色のＬ＊ａ＊ｂ＊表色系の値を推定する推定段階と、
前記推定段階で得られたＬ＊ａ＊ｂ＊表色系の値と前記参照テーブルとにより、前記目標となる色を再現するための前記複数の基本色の出力強度の組み合わせを求めカラーチャンネルテーブルを生成する生成段階と、を含み、
前記カラーチャンネルテーブルに基づいて、前記複数の基本色の出力強度を変化させて色調整を行うことを特徴とする色調整方法。
【請求項１９】
前記色特性の値は、光の各波長λに対する分光濃度であって、
前記推定段階は、前記第１の記録媒体上における前記第１の色材、前記第１の記録媒体、前記第２の記録媒体上における前記第２の色材、前記第２の記録媒体、及び、前記表面状態の異なる他の記録媒体の各々の分光濃度としての分光濃度ＳＤ１（λ）、分光濃度ＳＤＷ１（λ）、分光濃度ＳＤ２（λ）、分光濃度ＳＤＷ２（λ）、及び、分光濃度ＳＤＷｄ（λ）を用い、前記第１及び第２の記録媒体と前記表面状態の異なる他の記録媒体との表面状態の違いに基づいて、前記表面状態の異なる他の記録媒体上に前記第１の色材の上に前記第２の色材を刷り重ねて印刷して得られる色の分光濃度ＳＤＭ１２（λ）を推定し、更に、前記分光濃度ＳＤＭ１（λ）をＬ＊ａ＊ｂ＊表色系の値に変換する請求項１８に記載の色調整方法。
【請求項２０】
前記推定段階は、前記光の各波長λ毎に、前記第１の記録媒体と前記表面状態の異なる他の記録媒体との表面状態の違いに基づいて前記分光濃度ＳＤ１（λ）と前記分光濃度ＳＤＷ１（λ）との差分を調整した値と、前記第２の記録媒体と前記表面状態の異なる他の記録媒体との表面状態の違いに基づいて前記分光濃度ＳＤ２（λ）と前記分光濃度ＳＤＷ２（λ）との差分を調整した値と、前記分光濃度ＳＤＷｄ（λ）とを加算し、その結果を前記分光濃度ＳＤＭ１２（λ）として推定する請求項１９に記載の色調整方法。
【請求項２１】
前記推定段階は、前記光の各波長λ毎に、前記第１の記録媒体と前記表面状態の異なる他の記録媒体との表面状態の違いに基づいて前記分光濃度ＳＤ１（λ）と前記分光濃度ＳＤＷ１（λ）との差分を調整した値に比例する値と、前記第２の記録媒体と前記表面状態の異なる他の記録媒体との表面状態の違いに基づいて前記分光濃度ＳＤ２（λ）と前記分光濃度ＳＤＷ２（λ）との差分を調整した値に比例する値と、前記分光濃度ＳＤＷｄ（λ）とを加算し、その結果を前記分光濃度ＳＤＭ１２（λ）として推定する請求項１９に記載の色調整方法。
【請求項２２】
前記推定段階は、前記光の各波長λ毎に、前記第１の記録媒体と前記表面状態の異なる他の記録媒体との表面状態の違いに基づいて前記分光濃度ＳＤ１（λ）と前記分光濃度ＳＤＷ１（λ）との差分を調整した値に比例する値と、前記第２の記録媒体と前記表面状態の異なる他の記録媒体との表面状態の違いに基づいて前記分光濃度ＳＤ２（λ）と前記分光濃度ＳＤＷ２（λ）との差分を調整した値に比例する値と、前記分光濃度ＳＤＷｄ（λ）とを加算し、さらに２つの前記調整した値に比例する値の積に比例する値を前記加算結果から減算し、その結果を前記分光濃度ＳＤＭ１２（λ）として推定する請求項１９に記載の色調整方法。
【請求項２３】
予め、前記第１及び第２の記録媒体のそれぞれと前記表面状態の異なる他の記録媒体との表面状態の違いに基づいてそれぞれの係数を準備する準備段階を更に含み、
前記推定段階の前記調整は、前記分光濃度ＳＤ１（λ）と前記分光濃度ＳＤＷ１（λ）との差分及び前記分光濃度ＳＤ２（λ）と前記分光濃度ＳＤＷ２（λ）との差分に前記それぞれの係数を掛けて行う請求項２０乃至請求項２２のいずれかに記載の色調整方法。
【請求項２４】
前記第１の色材は、顔料を含んでなる複数の色材を刷り重ねたものを含む請求項１８乃至請求項２３のいずれかに記載の色調整方法。
【請求項２５】
顔料を含んでなる色材を印刷した記録媒体上における前記色材の色に基づいて、前記色材の網点画像を前記記録媒体とは表面状態の異なる他の記録媒体上に印刷して得られる網点画線部の色を目標の色として複数の基本色の出力強度を変化させて再現しつつカラー画像を形成するカラー画像形成装置であって、
前記複数の基本色の出力強度とＬ＊ａ＊ｂ＊表色系の値との間の対応関係を示す参照テーブルと、
前記色材を印刷した記録媒体上における前記色材、前記色材を印刷した記録媒体、及び、前記表面状態の異なる他の記録媒体の色特性の値を用い、前記色材を印刷した記録媒体と前記表面状態の異なる他の記録媒体との表面状態の違いに基づいて、前記表面状態の異なる他の記録媒体に前記色材を印刷して得られる色のＬ＊ａ＊ｂ＊表色系の値を推定する推定手段と、
前記推定手段で得られたＬ＊ａ＊ｂ＊表色系の値と前記参照テーブルとにより、前記目標となる色を再現するための前記複数の基本色の出力強度の組み合わせを求めカラーチャンネルテーブルを生成する生成手段と、
前記カラー画像を形成する際に、前記カラーチャンネルテーブルに基づいて、前記複数の基本色の出力強度を変化させるように制御する制御手段と、を有することを特徴とするカラー画像形成装置。
【請求項２６】
顔料を含んでなる第１の色材を印刷した第１の記録媒体上における前記色材の色と顔料を含んでなる第２の色材を印刷した第２の記録媒体上における前記色材の色に基づいて、前記第１及び第２の色材の網点画像を前記第１及び第２の記録媒体とは表面状態の異なる他の記録媒体上に印刷して得られる網点画線部の色を目標の色として複数の基本色の出力強度を変化させて再現しつつカラー画像を形成するカラー画像形成装置であって、
前記複数の基本色の出力強度とＬ＊ａ＊ｂ＊表色系の値との間の対応関係を示す参照テーブルと、
前記第１の記録媒体上における前記第１の色材、前記第１の記録媒体、前記第２の記録媒体上における前記第２の色材、前記第２の記録媒体、及び、前記表面状態の異なる他の記録媒体の色特性の値を用い、前記第１及び第２の記録媒体と前記表面状態の異なる他の記録媒体との表面状態の違いに基づいて、前記表面状態の異なる他の記録媒体上に前記第１の色材の上に前記第２の色材を刷り重ねて印刷して得られる色のＬ＊ａ＊ｂ＊表色系の値を推定する推定手段と、
前記推定手段で得られたＬ＊ａ＊ｂ＊表色系の値と前記参照テーブルとにより、前記目標となる色を再現するための前記複数の基本色の出力強度の組み合わせを求めカラーチャンネルテーブルを生成する生成手段と、
前記カラー画像を形成する際に、前記カラーチャンネルテーブルに基づいて、前記複数の基本色の出力強度を変化させるように制御する制御手段と、を有することを特徴とするカラー画像形成装置。
【発明の詳細な説明】
【技術分野】
【０００１】
本発明は、表面状態の異なる他の記録媒体に色材を印刷して得られる色、または、表面状態の異なる他の記録媒体に色材を刷り重ねて印刷して得られる色を推定する色推定方法、色調整方法及びその色調整方法を適用したカラー画像形成装置に関する。
【背景技術】
【０００２】
近年、ＤＴＰ（Ｄｅｓｋ  Ｔｏｐ  Ｐｕｂｌｉｓｈｉｎｇ）等の普及により、スキャナから入力した画像をコンピュータのソフトウエア上で画像編集、ページ面付けする作業が一般化し、フルデジタルでの編集も珍しくなくなってきている。
【０００３】
このような工程では、さらなる効率化を目指して、フィルムにページ編集済みの画像データを直接出力するイメージセッター出力や、印刷版に直接画像記録を行うＣＴＰ（Ｃｏｍｐｕｔｅｒ  ｔｏ  Ｐｌａｔｅ）出力、さらには、印刷機のシリンダー上に巻かれた印刷版に直接画像記録を行うＣＴＣ（Ｃｏｍｐｕｔｅｒ  ｔｏ  Ｃｙｌｉｎｄｅｒ）が行われる。
【０００４】
また、このような印刷工程における校正のプロセスでは、（１）作業現場内部ミスの確認、すなわち内校、（２）発注主、デザイナーへの仕上がり確認用の提出される外校、（３）印刷機の機長に対して、最終印刷物の見本として提供される印刷見本、の主として３つの用途にプルーフが作成、使用される。
【０００５】
このように、カラー印刷を作成する際には、原稿フィルムの段階で色校正を行うことにより、Ｙ（イエロー）版、Ｍ（マゼンダ）版、Ｃ（シアン）版、及びＢＫ（墨色）版に分解された各色分解網原稿フィルムを使って校正物（カラープルーフ）を作成し、本番の印刷版を作成する前に、原稿フィルムのレイアウトに間違いないか、色間違いないか、文字の誤りがないか等を検査し、印刷物の仕上がりを事前に確認するようにしていた。
【０００６】
この場合、校正確認の為だけに一端フィルム出力や印刷版出力を行い、印刷校正や、その他の校正材料による校正を行うことは、フィルム、印刷版のムダや余計な作業が多くなる問題がある。
【０００７】
その為、特に、このようなコンピュータによるフルデジタルの画像作成、編集を行う工程では、ＤＤＣＰ（Ｄｉｒｅｃｔ  Ｄｉｇｉｔａｌ  Ｃｏｒｏｒ  Ｐｒｏｏｆ）ないしはＤＣＰ（Ｄｉｇｉｔａｌ  Ｃｏｒｏｒ  Ｐｒｏｏｆ）と呼ばれる直接カラー画像出力を行うシステムが求められている。
【０００８】
このようなＤＤＣＰは、コンピュータ上で加工されたデジタル画像データからイメージセッターなどで製版用フィルム上に記録したり、ＣＴＰで直接印刷版を作成する最終的な印刷作業を行ったり、ＣＴＣで印刷機のシリンダー上に巻かれた印刷版に直接画像記録を行ったりなどする前に、コンピュータ上で加工されたデジタル画像が示す出力対象を再現するカラープルーフを作成し、その絵柄、色調、文章文字等の確認を行うものである。
【０００９】
一方、各色分解網原稿の網点画像データに基づいて、銀塩カラー感光材料に、例えば、Ｒ、Ｇ、Ｂ等の波長の異なる複数の光の組み合わせからなる光点を露光して、３つの基本色Ｙ、Ｍ、Ｃの各ドットを発色させることで網点画像を再現してカラープルーフを作成するカラープルーフ作成装置がある。またその中に、印刷機の１次色（インク単色）、インクを刷り重ねて得られる多次色（インクを重ね合わせた色）及び白（印刷用紙の色）を再現するように、１次色、多次色及び白の各々について３つの基本色の出力強度を変化させて調整し出力するタイプのＤＤＣＰがある（例えば、特許文献１。）。
【００１０】
また、上記調整を行うためには、１次色、多次色及び白を印刷機で出力し、色を測定することでその色特性の値を求める必要があった。つまり、印刷機で用いるインクが、Ｙ（イエロー），Ｍ（マゼンタ），Ｃ（シアン），Ｋ（墨色）であれば、１／２／３／４次色と白の１６通りについて測定を行っていた。また、さらに特色を用いる場合には、この１６通りとさらにそれぞれに特色を重ねた色との合計３２通りについて測定を行っていた。
【００１１】
ところで、印刷に用いる印刷用紙には、目的・用途に応じて様々なものがある。例えば、化学パルプ１００％で構成される上質紙、化学パルプと砕木パルプとで構成される中質紙や下級紙、さらには、紙に白さと平滑性を与えるために上・中質紙の片面（または、両面）にクレイ（含水けい酸アルミニウムを主成分とする粘土の総称）を塗工したコート紙やアート紙などである。
【００１２】
例えばここで、上質紙とコート紙を比較してみると、表面状態すなわち平滑性がことなる。上記のように上質紙は化学パルプでできているので、その表面にはパルプの繊維の凹凸がある。コート紙は上質紙の凹凸をなくすようにクレイが塗工されている。したがって、コート紙は上質紙に比べ平滑性がよく、コート紙は上質紙に比べいわゆるインクののりがよい。これにより、印刷機で上質紙を用いて出力した印刷物と、コート紙を用いて印刷した印刷物とでは、インクののりの違いから、出力色が異なる。また、補足すれば、アート紙も同様に上質紙より平滑性がよく、中質紙や下級紙は、上質紙に比べ平滑性が劣る。
【００１３】
【特許文献１】特開２００３−１４９７９６号公報（段落〔０１１９〕−〔０１６８〕、第３図〜第５図）
【発明の開示】
【発明が解決しようとする課題】
【００１４】
したがって、特許文献１に記載のカラープルーフ作成装置で、例えば、印刷機でコート紙を用いて印刷する印刷物のカラープルーフを作成するために、印刷機でコート紙を用いて１／２／３／４次色と白の１６通り（さらに特色を用いる場合には３２通り）の印刷を行い、測定を行っていても、上質紙を用いて印刷する印刷物のカラープルーフを作成するためには、印刷物の出力色が異なるので、印刷機で上質紙を用いて１／２／３／４次色と白の１６通り（さらに特色を用いる場合には３２通り）の印刷を行い、測定をする必要があった。つまり、印刷機で表面状態の異なる他の印刷用紙を用いて印刷する場合には、その都度、使用する印刷用紙を用いて実際に印刷を行い、１６通りまたは３２通りについて再測定を行わなければならず、多大な時間と労力をその測定に費やしていた。
【００１５】
また、インクメーカなどから配布される色見本は、コート紙にインクを印刷したものが多く、例えば、上質紙に印刷するときのカラープルーフを作成する場合に、その色見本を測定して印刷したときのインク色を把握しようとしても、異なる紙に印刷するインクの色はその色見本の測定結果からではわからないので、わざわざ印刷して測定する必要がある。
【００１６】
本発明は、上記事情に鑑みてなされたものであり、その目的とするところは、印刷用紙に複数のインクを印刷（インクを刷り重ねて印刷したものを含む）し、その印刷したインクを測定して得られる色特性の値に基づいて、その測定に用いた印刷用紙とは表面状態の異なる他の印刷用紙にインクを印刷または複数のインクを刷り重ねて印刷して得られる色を推定する色推定方法、その推定方法により推定した色を再現するための色調整方法、及び、その色調整方法を適用したカラー画像形成装置を提供することにある。
【課題を解決するための手段】
【００１７】
上記目的を達成するために、請求項１記載の発明は、顔料を含んでなる色材を印刷した記録媒体上における前記色材の色に基づいて、前記記録媒体とは表面状態の異なる他の記録媒体に前記色材を印刷して得られる色を推定する色推定方法であって、前記色材を印刷した記録媒体上における前記色材の色特性の値を測定する第１の測定段階と、前記色材を印刷した記録媒体の色特性の値を測定する第２の測定段階と、前記表面状態の異なる他の記録媒体の色特性の値を測定する第３の測定段階と、前記第１乃至第３の測定段階で測定した色特性の値を用い、前記色材を印刷した記録媒体と前記表面状態の異なる他の記録媒体との表面状態の違いに基づいて、前記表面状態の異なる他の記録媒体に前記色材を印刷して得られる色を推定する推定段階と、を含むことを特徴としている。
【００１８】
また、請求項２記載の発明は、前記色特性の値は、光の各波長λに対する分光濃度であって、前記第１の測定段階は、前記色材を印刷した記録媒体上における前記色材の光の各波長λに対する分光濃度ＳＤ１（λ）を測定し、前記第２の測定段階は、前記色材を印刷した記録媒体の光の各波長λに対する分光濃度ＳＤＷ１（λ）を測定し、前記第３の測定段階は、前記表面状態の異なる他の記録媒体の光の各波長λに対する分光濃度ＳＤＷｄ（λ）を測定し、前記推定段階は、前記色材を印刷した記録媒体と前記表面状態の異なる他の記録媒体との表面状態の違いに基づいて前記分光濃度ＳＤ１（λ）と前記分光濃度ＳＤＷ１（λ）との差分を調整した値と、前記分光濃度ＳＤＷｄ（λ）とを加算し、その結果を前記表面状態の異なる他の記録媒体に前記色材を印刷して得られる色の分光濃度ＳＤＭ１（λ）として推定することを特徴としている。
【００１９】
また、請求項３記載の発明は、予め、前記色材を印刷した記録媒体と前記表面状態の異なる他の記録媒体との表面状態の違いに基づいて係数を準備する準備段階を更に含み、前記推定段階の前記調整は、前記分光濃度ＳＤ１（λ）と前記分光濃度ＳＤＷ１（λ）との差分に前記係数を掛けて行うことを特徴としている。
【００２０】
また、請求項４記載の発明は、前記推定段階は、前記分光濃度ＳＤＭ１（λ）を推定し、更に、前記分光濃度ＳＤＭ１（λ）を表色系の値に変換することを特徴としている。
【００２１】
また、請求項５記載の発明は、前記色材は、顔料を含んでなる複数の色材を刷り重ねたものを含むことを特徴としている。
【００２２】
また、請求項６記載の発明は、顔料を含んでなる第１の色材を印刷した第１の記録媒体上における前記色材の色と顔料を含んでなる第２の色材を印刷した第２の記録媒体上における前記色材の色に基づいて、前記第１または第２の記録媒体とは表面状態の異なる他の記録媒体に前記第１の色材の上に前記第２の色材を刷り重ねて印刷して得られる色を推定する色推定方法であって、前記第１の記録媒体上における前記第１の色材の色特性の値を測定する第１の測定段階と、前記第１の記録媒体の色特性の値を測定する第２の測定段階と、前記第２の記録媒体上における前記第２の色材の色特性の値を測定する第３の測定段階と、前記第２の記録媒体の色特性の値を測定する第４の測定段階と、前記表面状態の異なる他の記録媒体の色特性の値を測定する第５の測定段階と、前記第１乃至第５の測定段階で測定した色特性の値を用い、前記第１及び第２の記録媒体と前記表面状態の異なる他の記録媒体との表面状態の違いに基づいて、前記表面状態の異なる他の記録媒体上に前記第１の色材の上に前記第２の色材を刷り重ねて印刷して得られる色を推定する推定段階と、を含むことを特徴としている。
【００２３】
また、請求項７記載の発明は、前記色特性の値は、光の各波長λに対する分光濃度であって、前記第１の測定段階は、前記第１の記録媒体上における前記第１の色材の色の光の各波長λに対する分光濃度ＳＤ１（λ）を測定し、前記第２の測定段階は、前記第１の記録媒体の光の各波長λに対する分光濃度ＳＤＷ１（λ）を測定し、前記第３の測定段階は、前記第２の記録媒体上における前記第２の色材の色の光の各波長λに対する分光濃度ＳＤ２（λ）を測定し、前記第４の測定段階は、前記第２の記録媒体の光の各波長λに対する分光濃度ＳＤＷ２（λ）を測定し、前記第５の測定段階は、前記表面状態の異なる他の記録媒体の光の各波長λに対する分光濃度ＳＤＷｄ（λ）を測定し、前記推定段階は、前記第１乃至第５の測定段階で測定した分光濃度を用い、前記第１及び第２の記録媒体と前記表面状態の異なる他の記録媒体との表面状態の違いに基づいて、前記表面状態の異なる他の記録媒体上に前記第１の色材の上に前記第２の色材を刷り重ねて印刷して得られる色の分光濃度ＳＤＭ１２（λ）を推定することを特徴としている。
【００２４】
また、請求項８記載の発明は、前記推定段階は、前記光の各波長λ毎に、前記第１の記録媒体と前記表面状態の異なる他の記録媒体との表面状態の違いに基づいて前記分光濃度ＳＤ１（λ）と前記分光濃度ＳＤＷ１（λ）との差分を調整した値と、前記第２の記録媒体と前記表面状態の異なる他の記録媒体との表面状態の違いに基づいて前記分光濃度ＳＤ２（λ）と前記分光濃度ＳＤＷ２（λ）との差分を調整した値と、前記分光濃度ＳＤＷｄ（λ）とを加算し、その結果を前記分光濃度ＳＤＭ１２（λ）として推定することを特徴としている。
【００２５】
また、請求項９記載の発明は、前記推定段階は、前記光の各波長λ毎に、前記第１の記録媒体と前記表面状態の異なる他の記録媒体との表面状態の違いに基づいて前記分光濃度ＳＤ１（λ）と前記分光濃度ＳＤＷ１（λ）との差分を調整した値に比例する値と、前記第２の記録媒体と前記表面状態の異なる他の記録媒体との表面状態の違いに基づいて前記分光濃度ＳＤ２（λ）と前記分光濃度ＳＤＷ２（λ）との差分を調整した値に比例する値と、前記分光濃度ＳＤＷｄ（λ）とを加算し、その結果を前記分光濃度ＳＤＭ１２（λ）として推定することを特徴としている。
【００２６】
また、請求項１０記載の発明は、前記推定段階は、前記光の各波長λ毎に、前記第１の記録媒体と前記表面状態の異なる他の記録媒体との表面状態の違いに基づいて前記分光濃度ＳＤ１（λ）と前記分光濃度ＳＤＷ１（λ）との差分を調整した値に比例する値と、前記第２の記録媒体と前記表面状態の異なる他の記録媒体との表面状態の違いに基づいて前記分光濃度ＳＤ２（λ）と前記分光濃度ＳＤＷ２（λ）との差分を調整した値に比例する値と、前記分光濃度ＳＤＷｄ（λ）とを加算し、さらに２つの前記調整した値に比例する値の積に比例する値を前記加算結果から減算し、その結果を前記分光濃度ＳＤＭ１２（λ）として推定することを特徴としている。
【００２７】
また、請求項１１記載の発明は、予め、前記第１及び第２の記録媒体のそれぞれと前記表面状態の異なる他の記録媒体との表面状態の違いに基づいてそれぞれの係数を準備する準備段階を更に含み、前記推定段階の前記調整は、前記分光濃度ＳＤ１（λ）と前記分光濃度ＳＤＷ１（λ）との差分及び前記分光濃度ＳＤ２（λ）と前記分光濃度ＳＤＷ２（λ）との差分に前記それぞれの係数を掛けて行うことを特徴としている。
【００２８】
また、請求項１２記載の発明は、前記推定段階は、前記分光濃度ＳＤＭ１２（λ）を推定し、更に、前記分光濃度ＳＤＭ１２（λ）を表色系の値に変換することを特徴としている。
【００２９】
また、請求項１３記載の発明は、前記第１の色材は、顔料を含んでなる複数の色材を刷り重ねたものを含むことを特徴としている。
【００３０】
また、請求項１４記載の発明は、顔料を含んでなる色材を印刷した記録媒体上における前記色材の色に基づいて、前記色材の網点画像を前記記録媒体とは表面状態の異なる他の記録媒体上に印刷して得られる網点画線部の色を目標の色として再現するように複数の基本色の出力強度を変化させて色調整を行う色調整方法であって、前記複数の基本色の出力強度とＬ＊ａ＊ｂ＊表色系の値との間の対応関係を示す参照テーブルを予め格納する格納段階と、前記色材を印刷した記録媒体上における前記色材、前記色材を印刷した記録媒体、及び、前記表面状態の異なる他の記録媒体の色特性の値を用い、前記色材を印刷した記録媒体と前記表面状態の異なる他の記録媒体との表面状態の違いに基づいて、前記表面状態の異なる他の記録媒体に前記色材を印刷して得られる色のＬ＊ａ＊ｂ＊表色系の値を推定する推定段階と、前記推定段階で得られたＬ＊ａ＊ｂ＊表色系の値と前記参照テーブルとにより、前記目標となる色を再現するための前記複数の基本色の出力強度の組み合わせを求めカラーチャンネルテーブルを生成する生成段階と、を含み、前記カラーチャンネルテーブルに基づいて、前記複数の基本色の出力強度を変化させて色調整を行うことを特徴としている。
【００３１】
また、請求項１５記載の発明は、前記色特性の値は、光の各波長λに対する分光濃度であって、前記推定段階は、前記色材を印刷した記録媒体上における前記色材、前記色材を印刷した記録媒体、及び、前記表面状態の異なる他の記録媒体の各々の分光濃度としての分光濃度ＳＤ１（λ）、分光濃度ＳＤＷ１（λ）、及び、分光濃度ＳＤＷｄ（λ）を用い、前記色材を印刷した記録媒体と前記表面状態の異なる他の記録媒体との表面状態の違いに基づいて前記分光濃度ＳＤ１（λ）と前記分光濃度ＳＤＷ１（λ）との差分を調整した値と、前記分光濃度ＳＤＷｄ（λ）とを加算し、その結果を前記表面状態の異なる他の記録媒体に前記色材を印刷して得られる色の分光濃度ＳＤＭ１（λ）として推定し、更に、前記分光濃度ＳＤＭ１（λ）をＬ＊ａ＊ｂ＊表色系の値に変換することを特徴としている。
【００３２】
また、請求項１６記載の発明は、予め、前記色材を印刷した記録媒体と前記表面状態の異なる他の記録媒体との表面状態の違いに基づいて係数を準備する準備段階を更に含み、前記推定段階の前記調整は、前記分光濃度ＳＤ１（λ）と前記分光濃度ＳＤＷ１（λ）との差分に前記係数を掛けて行うことを特徴としている。
【００３３】
また、請求項１７記載の発明は、前記色材は、顔料を含んでなる複数の色材を刷り重ねたものを含むことを特徴としている。
【００３４】
また、請求項１８記載の発明は、顔料を含んでなる第１の色材を印刷した第１の記録媒体上における前記色材の色と顔料を含んでなる第２の色材を印刷した第２の記録媒体上における前記色材の色に基づいて、前記第１及び第２の色材の網点画像を前記第１及び第２の記録媒体とは表面状態の異なる他の記録媒体上に印刷して得られる網点画線部の色を目標の色として再現するように複数の基本色の出力強度を変化させて色調整を行う色調整方法であって、前記複数の基本色の出力強度とＬ＊ａ＊ｂ＊表色系の値との間の対応関係を示す参照テーブルを予め格納する格納段階と、前記第１の記録媒体上における前記第１の色材、前記第１の記録媒体、前記第２の記録媒体上における前記第２の色材、前記第２の記録媒体、及び、前記表面状態の異なる他の記録媒体の色特性の値を用い、前記第１及び第２の記録媒体と前記表面状態の異なる他の記録媒体との表面状態の違いに基づいて、前記表面状態の異なる他の記録媒体上に前記第１の色材の上に前記第２の色材を刷り重ねて印刷して得られる色のＬ＊ａ＊ｂ＊表色系の値を推定する推定段階と、前記推定段階で得られたＬ＊ａ＊ｂ＊表色系の値と前記参照テーブルとにより、前記目標となる色を再現するための前記複数の基本色の出力強度の組み合わせを求めカラーチャンネルテーブルを生成する生成段階と、を含み、前記カラーチャンネルテーブルに基づいて、前記複数の基本色の出力強度を変化させて色調整を行うことを特徴としている。
【００３５】
また、請求項１９記載の発明は、前記色特性の値は、光の各波長λに対する分光濃度であって、前記推定段階は、前記第１の記録媒体上における前記第１の色材、前記第１の記録媒体、前記第２の記録媒体上における前記第２の色材、前記第２の記録媒体、及び、前記表面状態の異なる他の記録媒体の各々の分光濃度としての分光濃度ＳＤ１（λ）、分光濃度ＳＤＷ１（λ）、分光濃度ＳＤ２（λ）、分光濃度ＳＤＷ２（λ）、及び、分光濃度ＳＤＷｄ（λ）を用い、前記第１及び第２の記録媒体と前記表面状態の異なる他の記録媒体との表面状態の違いに基づいて、前記表面状態の異なる他の記録媒体上に前記第１の色材の上に前記第２の色材を刷り重ねて印刷して得られる色の分光濃度ＳＤＭ１２（λ）を推定し、更に、前記分光濃度ＳＤＭ１（λ）をＬ＊ａ＊ｂ＊表色系の値に変換することを特徴としている。
【００３６】
また、請求項２０記載の発明は、前記推定段階は、前記光の各波長λ毎に、前記第１の記録媒体と前記表面状態の異なる他の記録媒体との表面状態の違いに基づいて前記分光濃度ＳＤ１（λ）と前記分光濃度ＳＤＷ１（λ）との差分を調整した値と、前記第２の記録媒体と前記表面状態の異なる他の記録媒体との表面状態の違いに基づいて前記分光濃度ＳＤ２（λ）と前記分光濃度ＳＤＷ２（λ）との差分を調整した値と、前記分光濃度ＳＤＷｄ（λ）とを加算し、その結果を前記分光濃度ＳＤＭ１２（λ）として推定することを特徴としている。
【００３７】
また、請求項２１記載の発明は、前記推定段階は、前記光の各波長λ毎に、前記第１の記録媒体と前記表面状態の異なる他の記録媒体との表面状態の違いに基づいて前記分光濃度ＳＤ１（λ）と前記分光濃度ＳＤＷ１（λ）との差分を調整した値に比例する値と、前記第２の記録媒体と前記表面状態の異なる他の記録媒体との表面状態の違いに基づいて前記分光濃度ＳＤ２（λ）と前記分光濃度ＳＤＷ２（λ）との差分を調整した値に比例する値と、前記分光濃度ＳＤＷｄ（λ）とを加算し、その結果を前記分光濃度ＳＤＭ１２（λ）として推定することを特徴としている。
【００３８】
また、請求項２２記載の発明は、前記推定段階は、前記光の各波長λ毎に、前記第１の記録媒体と前記表面状態の異なる他の記録媒体との表面状態の違いに基づいて前記分光濃度ＳＤ１（λ）と前記分光濃度ＳＤＷ１（λ）との差分を調整した値に比例する値と、前記第２の記録媒体と前記表面状態の異なる他の記録媒体との表面状態の違いに基づいて前記分光濃度ＳＤ２（λ）と前記分光濃度ＳＤＷ２（λ）との差分を調整した値に比例する値と、前記分光濃度ＳＤＷｄ（λ）とを加算し、さらに２つの前記調整した値に比例する値の積に比例する値を前記加算結果から減算し、その結果を前記分光濃度ＳＤＭ１２（λ）として推定することを特徴としている。
【００３９】
また、請求項２３記載の発明は、予め、前記第１及び第２の記録媒体のそれぞれと前記表面状態の異なる他の記録媒体との表面状態の違いに基づいてそれぞれの係数を準備する準備段階を更に含み、前記推定段階の前記調整は、前記分光濃度ＳＤ１（λ）と前記分光濃度ＳＤＷ１（λ）との差分及び前記分光濃度ＳＤ２（λ）と前記分光濃度ＳＤＷ２（λ）との差分に前記それぞれの係数を掛けて行うことを特徴としている。
【００４０】
また、請求項２４記載の発明は、前記第１の色材は、顔料を含んでなる複数の色材を刷り重ねたものを含むことを特徴としている。
【００４１】
また、請求項２５記載の発明は、顔料を含んでなる色材を印刷した記録媒体上における前記色材の色に基づいて、前記色材の網点画像を前記記録媒体とは表面状態の異なる他の記録媒体上に印刷して得られる網点画線部の色を目標の色として複数の基本色の出力強度を変化させて再現しつつカラー画像を形成するカラー画像形成装置であって、前記複数の基本色の出力強度とＬ＊ａ＊ｂ＊表色系の値との間の対応関係を示す参照テーブルと、前記色材を印刷した記録媒体上における前記色材、前記色材を印刷した記録媒体、及び、前記表面状態の異なる他の記録媒体の色特性の値を用い、前記色材を印刷した記録媒体と前記表面状態の異なる他の記録媒体との表面状態の違いに基づいて、前記表面状態の異なる他の記録媒体に前記色材を印刷して得られる色のＬ＊ａ＊ｂ＊表色系の値を推定する推定手段と、前記推定手段で得られたＬ＊ａ＊ｂ＊表色系の値と前記参照テーブルとにより、前記目標となる色を再現するための前記複数の基本色の出力強度の組み合わせを求めカラーチャンネルテーブルを生成する生成手段と、前記カラー画像を形成する際に、前記カラーチャンネルテーブルに基づいて、前記複数の基本色の出力強度を変化させるように制御する制御手段と、を有することを特徴としている。
【００４２】
また、請求項２６記載の発明は、顔料を含んでなる第１の色材を印刷した第１の記録媒体上における前記色材の色と顔料を含んでなる第２の色材を印刷した第２の記録媒体上における前記色材の色に基づいて、前記第１及び第２の色材の網点画像を前記第１及び第２の記録媒体とは表面状態の異なる他の記録媒体上に印刷して得られる網点画線部の色を目標の色として複数の基本色の出力強度を変化させて再現しつつカラー画像を形成するカラー画像形成装置であって、前記複数の基本色の出力強度とＬ＊ａ＊ｂ＊表色系の値との間の対応関係を示す参照テーブルと、前記第１の記録媒体上における前記第１の色材、前記第１の記録媒体、前記第２の記録媒体上における前記第２の色材、前記第２の記録媒体、及び、前記表面状態の異なる他の記録媒体の色特性の値を用い、前記第１及び第２の記録媒体と前記表面状態の異なる他の記録媒体との表面状態の違いに基づいて、前記表面状態の異なる他の記録媒体上に前記第１の色材の上に前記第２の色材を刷り重ねて印刷して得られる色のＬ＊ａ＊ｂ＊表色系の値を推定する推定手段と、前記推定手段で得られたＬ＊ａ＊ｂ＊表色系の値と前記参照テーブルとにより、前記目標となる色を再現するための前記複数の基本色の出力強度の組み合わせを求めカラーチャンネルテーブルを生成する生成手段と、前記カラー画像を形成する際に、前記カラーチャンネルテーブルに基づいて、前記複数の基本色の出力強度を変化させるように制御する制御手段と、を有することを特徴としている。
【発明の効果】
【００４３】
請求項１記載の色推定方法によれば、印刷用紙上に印刷したインクとその印刷用紙の色特性の値と、前記印刷用紙とは表面状態の異なる他の印刷用紙の色特性の値を用い、印刷用紙の表面状態の違いに基づいて、前記表面状態の異なる他の印刷用紙に前記インクを印刷して得られる色を推定できる。
【００４４】
請求項２記載の色推定方法によれば、印刷用紙上に印刷したインクとその印刷用紙の分光濃度と、前記印刷用紙とは表面状態の異なる他の印刷用紙の分光濃度を用い、印刷用紙の表面状態の違いに基づいて、前記表面状態の異なる他の印刷用紙に前記インクを印刷して得られる色を推定できる。
【００４５】
請求項６記載の色推定方法によれば、第１の印刷用紙上に印刷した第１のインク、第１の印刷用紙、第２の印刷用紙上に印刷した第２のインク、第２の印刷用紙の色特性の値と、前記第１または第２の印刷用紙とは表面状態の異なる他の印刷用紙の色特性の値を用い、印刷用紙の表面状態の違いに基づいて、前記表面状態の異なる他の印刷用紙に前記第１のインクに前記第２のインクを刷り重ねて印刷して得られる色を推定できる。
【００４６】
請求項７記載の色推定方法によれば、第１の印刷用紙上に印刷した第１のインク、第１の印刷用紙、第２の印刷用紙上に印刷した第２のインク、第２の印刷用紙の分光濃度と、前記第１または第２の印刷用紙とは表面状態の異なる他の印刷用紙の分光濃度を用い、印刷用紙の表面状態の違いに基づいて、前記表面状態の異なる他の印刷用紙に前記第１のインクに前記第２のインクを刷り重ねて印刷して得られる色を推定できる。
【００４７】
請求項１４記載の色調整方法によれば、印刷用紙上に印刷したインクとその印刷用紙の色特性の値と、前記印刷用紙とは表面状態の異なる他の印刷用紙の色特性の値を用い、印刷用紙の表面状態の違いに基づいて、前記表面状態の異なる他の印刷用紙に前記インクを印刷して得られる色を推定し、その推定した色を目標として複数の基本色を用いて再現するように色調整を行うことができる。
【００４８】
請求項１５記載の色調整方法によれば、印刷用紙上に印刷したインクとその印刷用紙の分光濃度と、前記印刷用紙とは表面状態の異なる他の印刷用紙の分光濃度を用い、印刷用紙の表面状態の違いに基づいて、前記表面状態の異なる他の印刷用紙に前記インクを印刷して得られる色を推定し、その推定した色を目標として複数の基本色を用いて再現するように色調整を行うことができる。
【００４９】
請求項１８記載の色調整方法によれば、第１の印刷用紙上に印刷した第１のインク、第１の印刷用紙、第２の印刷用紙上に印刷した第２のインク、第２の印刷用紙の色特性の値と、前記第１または第２の印刷用紙とは表面状態の異なる他の印刷用紙の色特性の値を用い、印刷用紙の表面状態の違いに基づいて、前記表面状態の異なる他の印刷用紙に前記第１のインクに前記第２のインクを刷り重ねて印刷して得られる色を推定し、その推定した色を目標として複数の基本色を用いて再現するように色調整を行うことができる。
【００５０】
請求項１９記載の色調整方法によれば、第１の印刷用紙上に印刷した第１のインク、第１の印刷用紙、第２の印刷用紙上に印刷した第２のインク、第２の印刷用紙の分光濃度と、前記第１または第２の印刷用紙とは表面状態の異なる他の印刷用紙の分光濃度を用い、印刷用紙の表面状態の違いに基づいて、前記表面状態の異なる他の印刷用紙に前記第１のインクに前記第２のインクを刷り重ねて印刷して得られる色を推定し、その推定した色を目標として複数の基本色を用いて再現するように色調整を行うことができる。
【００５１】
請求項２５記載のカラー画像形成装置によれば、印刷用紙上に印刷したインクとその印刷用紙の色特性の値と、前記印刷用紙とは表面状態の異なる他の印刷用紙の色特性の値を用い、印刷用紙の表面状態の違いに基づいて、前記表面状態の異なる他の印刷用紙に前記インクを印刷して得られる色を推定し、その推定した色を目標として複数の基本色を用いて再現するように色調整を行うことができる。
【００５２】
請求項２６記載のカラー画像形成装置によれば、第１の印刷用紙上に印刷した第１のインク、第１の印刷用紙、第２の印刷用紙上に印刷した第２のインク、第２の印刷用紙の色特性の値と、前記第１または第２の印刷用紙とは表面状態の異なる他の印刷用紙の色特性の値を用い、印刷用紙の表面状態の違いに基づいて、前記表面状態の異なる他の印刷用紙に前記第１のインクに前記第２のインクを刷り重ねて印刷して得られる色を推定し、その推定した色を目標として複数の基本色を用いて再現するように色調整を行うことができる。
【発明を実施するための最良の形態】
【００５３】
本発明は、記録媒体としての印刷用紙に複数のインクを印刷（インクを刷り重ねて印刷したものを含む）し、その印刷したインクを測定して得られる色特性の値に基づいて、その測定に用いた印刷用紙とは表面状態の異なる他の印刷用紙にインクを印刷または複数のインクを刷り重ねて印刷して得られる色を推定するものである。
【００５４】
また、色推定方法において測定して用いる色特性の値として、光の各波長λに対する透過濃度（以下、分光濃度と表記する。）を用いて行う方法について述べる。
【００５５】
ここで、分光濃度とは、例えば３８０ｎｍから７３０ｎｍの間で１０ｎｍ毎に波長を変えて反射率Ｒを測定し、
−０．５×ＬＯＧ１０（Ｒ）
の式により濃度に変換したものである。
【００５６】
また、Ｌ＊ａ＊ｂ＊表色系の値とは、色を表す表色系の値の１つであり、Ｌ＊軸、ａ＊軸、ｂ＊軸の３次元空間で色を表すもので、ａ＊ｂ＊平面により色あい及び彩度が表され、Ｌ＊はａ＊ｂ＊平面に直交し明度を表す色特性の値である。また、Ｌ＊ａ＊ｂ＊表色系の値は、人間の眼の感度に相当するものとしてＣＩＥ（Ｃｏｍｍｉｓｓｉｏｎ  Ｉｎｔｅｒｎａｔｉｏｎａｌｅ  ｄｅ  ｌ’Ｅｃｌａｉｒａｇｅ；国際照明委員会）で定められたｘ−ｂａｒ，ｙ−ｂａｒ、ｚ−ｂａｒの分光特性（所定の分光特性）で光量を積算して求めたＸＹＺ表色系の値に基づくものである。
【００５７】
以下、本発明の色推定方法、色調整方法を述べるにあたり、一例としてカラープルーフ作成装置（カラー画像形成装置）に適用した実施の形態を示し、図面を参照して具体的に説明する。
【００５８】
（カラープルーフ作成装置の制御構成）
まず、本実施の形態のカラープルーフ作成装置は、印刷機で複数のインク（Ｃ（シアン）、Ｍ（マゼンタ）、Ｙ（イエロー）、Ｋ（ブラック）及び特色）のそれぞれの網点画像を刷り重ねして得られる網点画線部の色を目標の色とし、その目標とする色をカラープルーフ作成装置における複数の基本色（Ｙ、Ｍ、Ｃ、以下「Ｃ、Ｍ、Ｙ」、「ＹＭＣ」、「ＣＭＹ」と順序などを変えて記す場合もある。）の出力強度を変化させて再現しつつカラー画像を出力するものであり、本発明の色推定方法を用いた色調整方法を適用して好適なものである。
【００５９】
図１にカラープルーフ作成装置の機能ブロック図を示す。図１に示すように、本実施の形態のカラープルーフ作成装置は、制御部１、色演算部２、カラーチャンネル作成部３及び画像記録部４で構成される。さらに、各部の詳細を以下に述べる。
【００６０】
色演算部２は、色演算手段２１、色特性テーブル２２、係数テーブル２３、色テーブル２４及び入力手段２５からなる。
【００６１】
色特性テーブル２２は、色特性の値として、印刷機で例えば印刷用紙ＡにＣ，Ｍ，Ｙ，Ｋの各色のインクを用いて印刷したＣＭＹＫ１／２／３／４次色及び印刷用紙Ａの地色の分光濃度、例えば印刷用紙Ｂに特色を印刷した色及び印刷用紙Ｂの地色の分光濃度、その他表面状態の異なる印刷用紙例えばＣ、Ｄ・・・の地色等の分光濃度が予め格納されている。
【００６２】
ここで、ＣＭＹＫ１／２／３／４次色について説明する。１次色とはＣＭＹＫの内の１つの色、２次色とはＣＭＹＫの内の２つを組み合わせた色、３次色とはＣＭＹＫの内の３つを組み合わせた色、４次色とはＣＭＹＫの内の４つを組み合わせた色で、Ｃ、Ｍ、Ｙ、Ｋ、Ｒ（Ｍ＋Ｙ）、Ｇ（Ｃ＋Ｙ）、Ｂ（Ｃ＋Ｍ）、・・・、Ｃ＋Ｍ＋Ｙ＋Ｋの１５色となる。
【００６３】
さらに、図２に色特性テーブル２２の構成を示す。図２に示すように、上述した各色とその分光濃度から構成されている。ただし、各数値は、省略している。
【００６４】
係数テーブル２３は、後述する色の推定に用いる透明度係数ａ、トラッピング率係数ｂ、刷り重ね補正係数ｃ、及び、用紙間濃度調整係数ｒ（本発明の記録媒体の違いに基づく係数）を、各特色毎に例えば図３に示すような構成で格納する。ただし、用紙間濃度調整係数ｒを、インクに対応させずに、用紙間に関わる係数として別テーブルに格納してもよい。透明度係数ａとは、特色を刷り重ねた場合に、下側となる色の分光濃度（透過濃度）を補正するための係数で、トラッピング率係数ｂとは、特色を印刷用紙に印刷したときとインクの上に重ね刷りしたとの所謂インクののりの違いから発生する分光濃度（透過濃度）の差を補正するための係数である。刷り重ね補正係数ｃとは、後述する色の推定で用いる式に含まれる補正項に用いる係数である。用紙間濃度調整係数ｒとは、印刷する印刷用紙のインクののり違いから発生する濃度の違いを調整するためのものである。
【００６５】
また、インク２が完全に透明ならば、透明度係数ａは「１」であり、完全に不透明ならば、透明度係数ａは「０」であるから、透明度係数ａは、０から１の間の定数である。また、インクののりは、一般的に印刷用紙上に印刷するときに比べ、他のインク上に印刷するときの方が落ちるものであるから、トラッピング率係数ｂは、０から１の間の定数である。
【００６６】
入力手段２５は、例えば、印刷に使用されるインク（Ｃ、Ｍ、Ｙ、Ｋ及び特色）や印刷用紙を指定して、カラープルーフの作成の指示を入力するためのものである。また、色特性テーブル２２に、上述のような各色とその分光濃度を入力するためのものであり、また、係数テーブル２３に各係数を入力するためのものである。また、例えば、測定器と接続するためのインターフェイスや、分光濃度の測定結果や各係数が入力されたＦＤ（Ｆｌｏｐｐｙ（登録商標）  Ｄｉｓｋ）等を出し入れ可能に装着する読取装置のようなものであってもよい。
【００６７】
また、色特性テーブル２２、係数テーブル２３は、例えば、カラープルーフ作成装置の内部に備えられたＨＤＤ（Ｈａｒｄ  Ｄｉｓｋ  Ｄｒｉｖｅ）に当初から組み込まれているものでもよい。
【００６８】
色演算手段２１は、色特性テーブル２２に格納されている各色特性の値（本実施の形態では分光濃度）からそれぞれのＬ＊ａ＊ｂ＊表色系の値を求める本発明の推定手段としての機能や、色テーブル２４に格納する機能や、各分光濃度から異なる印刷用紙に印刷するときの色や刷り重ねて印刷するときの分光濃度を推定し、その推定した分光濃度からＬ＊ａ＊ｂ＊表色系の値を求める本発明の推定手段としての機能や、その求めたＬ＊ａ＊ｂ＊表色系の値を色テーブル２４に格納する機能を備える。詳細な演算方法は後述する。
【００６９】
色テーブル２４は、上述のＣＭＹＫ１／２／３／４次色、特色単色、ＣＭＹＫ１／２／３／４次色の各々に特色を刷り重ねた色及び印刷用紙の地色のＬ＊ａ＊ｂ＊表色系の値を、図４に示すような構成で格納する。また、図４には上述のＣＭＹＫ１／２／３／４次色及び印刷用紙の地色（図中では、Ｗ（白）として表示）のＬ＊ａ＊ｂ＊表色系の値の一例を示し、特色に関する値は省略した。
【００７０】
カラーチャンネル作成部３は、カラーチャンネル演算手段３１と、参照テーブル３２及びカラーチャンネルテーブル３３からなる。
【００７１】
参照テーブル３２は、画像記録部４における出力特性としてＬ＊ａ＊ｂ＊表色系の値に対応する各基本色の出力強度の組み合わせとの相関関係を定義したＬ＊ａ＊ｂ→ＣＭＹ  ＬＵＴを格納している。このＬ＊ａ＊ｂ→ＣＭＹ  ＬＵＴは、後述する画像記録部４のＣ，Ｍ，Ｙの出力強度を最小値０から最大値までの間で等分割してそれぞれの出力を組み合わせた複数のカラー画像を配置したカラーチャートを出力し、その複数のカラー画像のＬ＊ａ＊ｂ＊表色系の値を測色し、そのときのＣ，Ｍ，Ｙの出力強度の組み合わせとＬ＊ａ＊ｂ＊表色系の値とから、本出願人による特願２００２−０６４６２９号の明細書に記載されているような方法で求めることができる。
【００７２】
カラーチャンネル演算手段３１は、本発明の生成手段としての機能を有し、色テーブル２４に格納されているＣＭＹＫ１／２／３／４次色、特色単色、ＣＭＹＫ１／２／３／４次色の各々に特色を刷り重ねた色及び印刷用紙の地色のＬ＊ａ＊ｂ＊表色系の値と、参照テーブル３２に格納されているＬ＊ａ＊ｂ→ＣＭＹ  ＬＵＴとを用い、画像記録部４でそれぞれのＬ＊ａ＊ｂ＊表色系の値を出力するためのＣＭＹの出力強度の組み合わせを求め、カラーチャンネルテーブル３３に格納する。尚、Ｌ＊ａ＊ｂ＊表色系の値を入力値としてＣＭＹの出力強度の組み合わせを求める方法は、本出願人による特願２００２−０６４６２９号の明細書に記載されているような方法を用いることができる。
【００７３】
また、本実施の形態では、参照テーブル３２としてＬ＊ａ＊ｂ→ＣＭＹ  ＬＵＴを格納するように説明したが、参照テーブル３２として各基本色の出力強度の組み合わせに対応するＬ＊ａ＊ｂ＊表色系の値との相関関係を定義したＣＭＹ→Ｌ＊ａ＊ｂ  ＬＵＴを格納しておいてもよい。その場合には、Ｌ＊ａ＊ｂ＊表色系の値を出力するためのＣＭＹの出力強度の組み合わせを求める際に、ＣＭＹ→Ｌ＊ａ＊ｂ  ＬＵＴからＬ＊ａ＊ｂ→ＣＭＹ  ＬＵＴを求めればよい。従って、本発明の「参照テーブル」としては、Ｌ＊ａ＊ｂ→ＣＭＹ  ＬＵＴやＣＭＹ→Ｌ＊ａ＊ｂ  ＬＵＴなど、複数の基本色の出力強度とＬ＊ａ＊ｂ＊表色系の値との間の対応関係を示すものであればよい。
【００７４】
カラーチャンネルテーブル３３は、上述のＣＭＹＫ１／２／３／４次色、特色単色、ＣＭＹＫ１／２／３／４次色の各々に特色を刷り重ねた色及び印刷用紙の地色に対応する画像記録部４でのＣＭＹの出力強度の組み合わせを図５に示すような構成で格納する。また、図５には上述のＣＭＹＫ１／２／３／４次色及び白地（図中では、Ｗ（白）として表示）の出力強度の組み合わせの一例をＹの出力強度を最小値０から最大値１４０、Ｍ，Ｃの出力強度を最小値０から最大値１６０として示し、特色に関する値は、特色の種類に応じて異なるため図示は省略した。
【００７５】
画像記録部４は、赤色（Ｒ）光により感光材料のマゼンタ発色層（Ｍ層）を感光させ、緑色（Ｇ）光により感光材料のシアン発色層（Ｃ層）を感光させ、青色（Ｂ）光により感光材料のイエロー発色層（Ｙ層）を感光させ、現像処理を行い、基本色であるＹ、Ｍ、Ｃを顕在化して出力させ，カラー画像を形成する。この赤色（Ｒ）光、緑色（Ｇ）光、青色（Ｂ）光による感光は、点順次に画素毎にこれらの色の光を同時に照射して行う。
【００７６】
制御部１は、各部の制御を行う機能を有すると共に、本発明の制御手段としての機能を有し、画像データからＣ，Ｍ，Ｙ，Ｋ，特色の各インク毎に分版された網点画像データに基づいて、画像記憶部４での各画素が出力すべき色が、上述のＣＭＹＫ１／２／３／４次色、特色単色、ＣＭＹＫ１／２／３／４次色の各々に特色を刷り重ねた色、または、印刷用紙の地色のいずれであるかを求め、カラーチャンネルテーブル３３を参照してＣＭＹの出力強度の組み合わせを求め、画像記録部４で基本色であるＹ、Ｍ、Ｃの出力強度を変化させて出力するように、カラーチャンネルテーブル３３から求めたＹ、Ｍ、Ｃの出力強度データを、Ｂ、Ｒ、Ｇの露光出力強度データに変換し、画像記録部４の各色の光の強度を変化させるように制御する。このような機能を実現するために図示しないＣＰＵと、全体の制御を行うためのプログラム、Ｙ、Ｍ、Ｃの出力強度を変化させるプログラム、及び、各プログラムを実行するときに必要な各種データを記憶すると共に、各プログラムを実行するときのワークエリアを構成するシステムメモリ（図示せず）、を含んで構成される。
【００７７】
このようにして、カラープルーフ作成装置は、基本色Ｙ、Ｍ、Ｃの出力強度を変化させることにより、印刷機でＣ，Ｍ，Ｙ，Ｋ，特色の各インクの網点画像を刷り重ねて作成される色を再現してカラープルーフを作成する。
【００７８】
（色推定方法）
次に、本発明の色推定方法について述べる。説明をわかりやすくするために、まず、色推定方法の各ステップを説明し、さらに前記色推定方法を含む色調整方法をカラープルーフ作成装置に適用した例を後述する。
【００７９】
図６は、本発明の色推定方法の手順を示すフローチャートであり、図６を用いて本実施の形態の色推定方法について説明する。以下、各ステップを、例えば図６ステップＳ１１であれば省略してＳ１１と記すことにする。他のステップも同様である。
【００８０】
（Ｓ１１）
まず、刷り重ねるときに下側となるインク（第１の色材）（以下、インク１と記す）を印刷用紙Ａ（第１の記録媒体）に印刷し、その印刷されたインクの色（以下、色１と記す）と印刷用紙Ａの地色（以下、色Ｗ１と記す）の分光濃度を測定する。ここで、色１の色特性の値としての分光濃度をＳＤ１（λ）、色Ｗ１の分光濃度をＳＤＷ１（λ）とする。また、このインク１は、上述のＣ，Ｍ，Ｙ，Ｋの各色のインクを用いて印刷したＣＭＹＫ１／２／３／４次色のいずれかに相当する。また、分光濃度は上述の如く各波長における反射率を測定し、その反射率を変換して得られるものである。以下で行う分光濃度の測定も同様である。
【００８１】
（Ｓ１２）
次に、刷り重ねるときに上側となるインク（第２の色材）（以下、インク２と記す）を印刷用紙Ｂ（第２の記録媒体）に印刷し、その印刷されたインクの色（以下、色２と記す）と印刷用紙Ｂの地色（以下、色Ｗ２と記す）の分光濃度を測定する。ここで、色２の分光濃度をＳＤ２（λ）、色Ｗ２の分光濃度をＳＤＷ２（λ）とする。このインク２は、上述の特色のインクを用いて印刷したものに相当する。また、印刷用紙Ｂに代えて印刷用紙Ａを用いてもよい。
【００８２】
（Ｓ１３）
さらに、印刷用紙ＡまたはＢとは表面状態が異なる印刷用紙Ｃの地色（以下、色Ｗｄと記す）の分光濃度を測定する。ここで、色Ｗｄの分光濃度をＳＤＷｄ（λ）とする。
【００８３】
ここで、表面状態の違いについて説明する。例えば、印刷に用いる印刷用紙には、目的・用途に応じて様々なものがある。例えば、化学パルプ１００％で構成される上質紙、化学パルプと砕木パルプとで構成される中質紙や下級紙、さらには、紙に白さと平滑性を与えるために上・中質紙の片面（または、両面）にクレイを塗工したコート紙やアート紙などである。例えば、上質紙は化学パルプでできているので、その表面にはパルプの繊維の凹凸があり、コート紙は上質紙の凹凸をなくすようにクレイが塗工されている。したがって、コート紙の表面は上質紙の表面に比べ平滑性がよく、コート紙は上質紙に比べいわゆるインクののりがよい。本実施の形態の表面状態の違いは、インクののりに差を生じるような違いであり、例えば、上述の平滑性の違いといってもよい。
【００８４】
（Ｓ１４）
そして、印刷用紙Ｃにインク１を印刷して得られる色（以下、色Ｍ１と記す）、印刷用紙Ｃにインク２を印刷して得られる色（以下、色Ｍ２と記す）、印刷用紙Ｃにインク１にインク２を刷り重ねて得られる色（以下、色Ｍ１２と記す）を推定する。ここで、色Ｍ１の分光濃度をＳＤＭ１（λ）、色Ｍ２の分光濃度をＳＤＭ２（λ）、色Ｍ１２の分光濃度をＳＤＭ１２（λ）とする。
【００８５】
まず、ＳＤＭ１（λ）を、
ＳＤＭ１（λ）＝ｒ１×（ＳＤ１（λ）−ＳＤＷ１（λ））＋ＳＤＷｄ（λ）
として求める。つまり、ＳＤ１（λ）からＳＤＷ１（λ）を減じることにより印刷用紙Ａの分光濃度ＳＤＷ１（λ）を排除し、印刷用紙Ａに印刷した場合のインク１自体の分光濃度が得られる。さらに、印刷用紙Ｃに印刷するときのインク１自体の分光濃度は、印刷用紙Ａと印刷用紙Ｃの表面状態の違いによるインクののりの違いから変化するので、その表面状態の違いによるのりの違いに応じた用紙間濃度調整係数ｒをｒ１として掛けて調整し、印刷用紙Ｃに印刷するときのインク１自体の分光濃度とし、排除した印刷用紙Ａの分光濃度ＳＤＷ１（λ）に代えて印刷用紙Ｃの分光濃度ＳＤＷｄ（λ）を加算することにより、印刷用紙Ｃにインク１を印刷して得られる色Ｍ１の分光濃度とする。
【００８６】
同様に、色Ｍ２の分光濃度をＳＤＭ２（λ）は、
ＳＤＭ２（λ）＝ｒ２×（ＳＤ２（λ）−ＳＤＷ２（λ））＋ＳＤＷｄ（λ）
として求める。
【００８７】
ここで、ｒ１及びｒ２は、例えば、印刷用紙Ａ及びＢが、コート紙のようにその表面状態が平滑性に富、印刷用紙Ｃが上質紙でコート紙に比べその表面状態、平滑性が劣る場合には、インクののりが悪くなるわけあるから分光濃度が小さくなるように、１より小さい数値となり、逆に、印刷用紙Ａ及びＢが上質紙で、印刷用紙Ｃがコート紙であれば、１より大きい数値となる。いうまでも無いが、同じ用紙であれば、インクののりが変化しないので１とすればよい。すなわち、用紙間濃度調整係数ｒによる調整を行わないことと同じである。
【００８８】
また、このＳＤＭ１（λ）は、単一のインクのみならずＣＭＹＫ２／３／４次色のように複数のインクを重ねて得られた分光濃度でもよい。
【００８９】
次に、色Ｍ１２の分光濃度ＳＤＭ１２（λ）を推定する。まず、上記の係数テーブル２３で述べたような係数による補正を必要としない場合には、
ＳＤＭ１２（λ）＝ｒ１×（ＳＤ１（λ）−ＳＤＷ１（λ））＋ｒ２×（ＳＤ２（λ）−ＳＤＷ２（λ））＋ＳＤＷｄ（λ）
として求める。つまり、印刷用紙Ｃに印刷するときのインク１自体の分光濃度と印刷用紙Ｃに印刷するときのインク２自体の分光濃度と印刷用紙Ｃの分光濃度ＳＤＷｄ（λ）を加算することにより、印刷用紙Ｃにインク１にインク２を刷り重ねて印刷して得られる色Ｍ１２の分光濃度とする。この場合、インク２は、印刷用紙Ｃとはインク１を間に介し、印刷用紙Ｃの表面にのるものではないが、インク１が印刷用紙Ｃの表面状態の影響を受けて、インク２のインク１に対するインクののりが悪くなる。本実施の形態では、印刷用紙の違いによるインクののりの違いに応じた用紙間濃度調整係数のｒ２を掛けて調整し印刷用紙Ｃに印刷するときのインク２自体の分光濃度としている。
【００９０】
また、透明度係数ａ及びとラッピング率係数ｂの補正を必要とする場合には、
ＳＤＭ１２（λ）＝ａ×ｒ１×（ＳＤ１（λ）−ＳＤＷ１（λ））＋ｂ×ｒ２×（ＳＤ２（λ）−ＳＤＷ２（λ））＋ＳＤＷｄ（λ）
として求める。
【００９１】
つまり、第１項ａ×ｒ１×（ＳＤ１（λ）−ＳＤＷ１（λ））は、インク２を介して得られる印刷用紙Ｃに印刷するときのインク１自体の分光濃度を示す。まず、ＳＤ１（λ）からＳＤＷ１（λ）を減算することにより、印刷用紙Ａの分光濃度ＳＤＷ１（λ）を排除したインク１自体の分光濃度が得られ、用紙間濃度調整係数ｒ１を掛けて印刷用紙の違いに応じた調整を行い、さらに、インク２の透明度を透明度係数ａとして掛けることにより、インク２を介して得られる印刷用紙Ｃに印刷するときのインク１自体の分光濃度となっている。
【００９２】
第２項ｂ×ｒ２×（ＳＤ２（λ）−ＳＤＷ２（λ））は、印刷用紙Ｃに印刷するときの他のインク上に重なるインク２自体の分光濃度を示す。まず、ＳＤ２（λ）からＳＤＷ２（λ）を減算することにより、印刷用紙Ｂの分光濃度ＳＤＷ２（λ）を排除したインク２自体の分光濃度が得られ、用紙間濃度調整係数ｒ２を掛けて印刷用紙の違いに応じた調整を行い、さらに、印刷用紙上に印刷するときと他のインク上に印刷するときの所謂インクののりの違いをトラッピング率係数ｂとして掛けることにより、印刷用紙Ｃに印刷するときのインク１上に重なるインク２自体の分光濃度となっている。
【００９３】
そして、第３項として印刷用紙Ｃの分光濃度ＳＤＷｄ（λ）を加算することにより、印刷用紙Ｃにインク１にインク２を刷り重ねて印刷して得られる色Ｍ１２の分光濃度としている。
【００９４】
さらに、インク１自体の分光濃度またはインク２自体の分光濃度が比較的高い濃度を示す波長で、上述の３つの項の和により得られる分光濃度が実際の刷り重ねの測定値に比べ大きくなることがあり、その補正を必要とする場合には、
ＳＤＭ１２（λ）＝ａ×ｒ１×（ＳＤ１（λ）−ＳＤＷ１（λ））＋ｂ×ｒ２×（ＳＤ２（λ）−ＳＤＷ２（λ））＋ＳＤＷｄ（λ）−ｃ×ａ×ｒ１×（ＳＤ１（λ）−ＳＤＷ１（λ））×ｂ×ｒ２×（ＳＤ２（λ）−ＳＤＷ２（λ））
つまり、上述の３つの項の和から、第４項ｃ×ａ×ｒ１×（ＳＤ１（λ）−ＳＤＷ１（λ））×ｂ×ｒ２×（ＳＤ２（λ）−ＳＤＷ２（λ））を減じる。この第４項は、刷り重ねの補正値算出のための補正項であり、印刷用紙Ｃに印刷するときのインク１自体の分光濃度または印刷用紙Ｃに印刷するときのインク２自体の分光濃度が比較的高い濃度のときに減じる値を大きくして補正するようにａ×ｒ１×（ＳＤ１（λ）−ＳＤＷ１（λ））とｂ×ｒ２×（ＳＤ２（λ）−ＳＤＷ２（λ））との積に刷り重ね補正係数ｃとを掛けたものである。言い換えれば、（ＳＤ１（λ）−ＳＤＷ１（λ））と（ＳＤ２（λ）−ＳＤＷ２（λ））との積に比例する値となっている。
【００９５】
このように、表面状態の異なる印刷用紙Ｃにインク１を印刷して得られる色（色Ｍ１）、インク２を印刷して得られる色（色Ｍ２）及びインク１にインク２を刷り重ねて得られる色（色Ｍ１２）の各分光濃度を推定でき、さらに、ＸＹＺ表色系やＬ＊ａ＊ｂ＊表色系等の表色系の値を分光濃度から変換することにより求めればよい。
【００９６】
また、上述の説明では、印刷用紙Ａ、Ｂ及びＣの色が異なるものとしているが、色が同じで平滑性のみが異なるものであれば、
ＳＤＷ１（λ）＝ＳＤＷ２（λ）＝ＳＤＷｄ（λ）
として、扱うことができる。その場合には、いずれか１つについて分光濃度を測定すればよい。もちろん、いずれか２つの用紙の色が同じ場合には、その２つを等しいものとして扱えばよい。
【００９７】
また、係数値ａ、ｂ、ｃは、予めインクを刷り重ねた複数の色について各分光濃度ＳＤを測定し、複数の色についての測定による分光濃度と推定による分光濃度の差が最も小さくなるようにして求めておけばよい。また、用紙間濃度調整係数ｒは、表面状態が異なる印刷用紙にインクを印刷した色について各分光濃度ＳＤを測定し、その色についての測定による分光濃度と推定による分光濃度の差が最も小さくなるようにして求めておけばよい。
【００９８】
（カラープルーフ作成装置における色調整方法）
次に、上述の色推定方法を含む色調整方法を適用した本実施の形態のカラープルーフ作成装置における処理の手順について図７に示すフローチャートを用いて説明する。ここで、透明度係数ａ、トラッピング率係数ｂ、刷り重ね補正係数ｃ及び用紙間係数ｒは、係数テーブル２３に予め格納されている。また、印刷機で印刷用紙ＡにＣ，Ｍ，Ｙ，Ｋの各色のインクを用いて印刷したＣＭＹＫ１／２／３／４次色及び印刷用紙Ａの地色の分光濃度、印刷用紙Ｂに特色を印刷した色及び印刷用紙Ｂの地色の分光濃度、その他表面状態の異なる印刷用紙Ｃ、Ｄ・・・の地色等の分光濃度を予め測定し、色特性テーブル２２に格納しておく。
【００９９】
（Ｓ２１）
図７に示すように、まず、作業者が行う入力手段２５を用いての印刷に使用されるインク（Ｃ、Ｍ、Ｙ、Ｋ及び特色）や印刷用紙が指定されたカラープルーフの作成の指示を受け付ける。
【０１００】
（Ｓ２２）
その指示の入力を受けて、色演算手段２１は、色特性テーブル２２を参照し、印刷機で印刷用紙ＡにＣ，Ｍ，Ｙ，Ｋの各色のインクを用いて印刷したＣＭＹＫ１／２／３／４次色（色１）及び印刷用紙Ａの地色（色Ｗ１）の分光濃度ＳＤ１及びＳＤＷ１、印刷用紙Ｂに特色を印刷した色（色２）及び印刷用紙Ｂの地色（色Ｗ２）の分光濃度ＳＤ２及びＳＤＷ２、及び、使用される印刷用紙（印刷用紙Ｃとする）の地色（色Ｗｄ）の分光濃度ＳＤＷｄを抽出する。また、これらの分光濃度は、入力手段２５から入力するようにして、色演算手段２１は、その入力された分光濃度を受け付けるように作用するものであってもよい。
【０１０１】
（Ｓ２３）
さらに、色演算手段２１は、ＣＭＹＫ１／２／３／４次色を印刷用紙Ｃに印刷して得られる色のそれぞれの分光濃度ＳＤＭ１（λ）を上述の演算式を用いて算出する。また、特色を印刷用紙Ｃに印刷して得られる色の分光濃度ＳＤＭ２（λ）を上述の演算式を用いて算出する。
【０１０２】
そして、印刷用紙ＣにＣＭＹＫ１／２／３／４次色に特色を刷り重ねて印刷する場合のそれぞれの分光濃度ＳＤＭ１２を上述の演算式（ＳＤＭ１２について示した３つの式のいずれかの式）を用いて算出する。各係数を用いる場合には、色演算手段２１は、係数テーブル２３を参照する。
【０１０３】
そして、各々の分光濃度ＳＤＭ１（λ）、分光濃度ＳＤＭ２（λ）及び分光濃度ＳＤＭ１２（λ）から、各々の分光濃度を変換してＬ＊ａ＊ｂ＊表色系の値を求めて色テーブル２４に格納する。
【０１０４】
（Ｓ２４）
次に、カラーチャンネル演算手段３１は、色テーブル２４に格納されたＬ＊ａ＊ｂ＊表色系の値と参照テーブル３２のＬ＊ａ＊ｂ→ＣＭＹ  ＬＵＴとから白地、ＣＭＹＫ１／２／３／４次色、特色と、ＣＭＹＫ１／２／３／４次色に特色を刷り重ねて得られる色の全てについて複数の基本色の出力強度の組み合わせを求めカラーチャンネルテーブル３３に格納する。
【０１０５】
（Ｓ２５）
そして、制御部１は、カラーチャンネルテーブル３３を参照し、画像データに基づいて複数の基本色の出力強度の組み合わせを変化させるように画像記録部４を制御し、画像記録部４はその制御に従って画像形成を行う。
【０１０６】
このように表面状態の異なる他の印刷用紙を用いて印刷する場合の色推定を行い、カラー画像の色調整を行うことにより、印刷機で表面状態の異なる他の印刷用紙にＣ，Ｍ，Ｙ，Ｋ，特色の各インクの網点画像を刷り重ねて作成される色を目標とし再現してカラープルーフを作成する場合に、表面状態の異なる他の印刷用紙にわざわざ印刷して色を測定する必要がない。したがって、作業時間の短縮を図ることができる。また、インクが印刷された色見本があれば、その色見本とは表面状態の異なる他の印刷用紙に印刷する場合にも、色見本を測定すれば色が推定できる。
【０１０７】
また、透明度係数ａ、トラッピング率係数ｂ及び刷り重ね補正係数ｃが異なる特性の特色を用いることがある場合には、係数テーブル２３に例えば、図３に示すようにタイプ毎にそれぞれの係数を格納しておき、インク２の分光濃度ＳＤ２（λ）を入力する際に、タイプを選択できるようにして分光濃度ＳＤＭ（λ）を求めるようにすればよい。
【０１０８】
また、上述の色推定もしくはカラーチャンネルテーブル生成をＰＣ（Ｐｅｒｓｏｎａｌ  Ｃｏｍｐｕｔｅｒ）等の情報処理装置を用いて行い、その色推定結果もしくはカラーチャンネルテーブルをフロッピー（登録商標）ディスク等の媒体を介してカラープルーフ作成装置が取得し、カラー画像の形成に用いるようにすることも可能である。
【０１０９】
また、ＰＣ等の情報処理装置とカラープルーフ作成装置とからなる画像出力システムにおいて、上述の色推定もしくはカラーチャンネルテーブル生成する機能をＰＣ等の情報処理装置に備え、その色推定結果もしくはカラーチャンネルテーブルをインターフェイスを介してカラープルーフ作成装置が取得し、カラー画像の形成に用いるようにすることも可能である。
【実施例】
【０１１０】
次に、本実施の形態の色推定方法を用いて、表面状態の異なる他の印刷用紙に印刷して得られる色の推定を行った具体的な一例を示す。本例では、インク１としてマゼンタ（Ｍ）、マゼンタを印刷した印刷用紙Ａに上質紙、インク２として特色（赤）、特色（赤）を印刷した印刷用紙Ｂとしてコート紙、色の推定を行う表面状態の異なる印刷用紙Ｃとして上質紙を使用する場合を一例に示す（本例では、色を推定する表面状態の異なる印刷用紙Ｃとして、マゼンタを印刷した印刷用紙Ａと同じ印刷用紙の場合を例に説明する。）。
【０１１１】
まず、分光反射率Ｒを測定する。その測定結果を図８に示す。ここで、色１（印刷用紙Ａに印刷したマゼンタ（Ｍ））の分光反射率をＲ１（λ）、色Ｗ１（マゼンタを印刷した印刷用紙Ａ）の分光反射率をＲＷ１（λ）、色２（印刷用紙Ｂに印刷した特色（赤））の分光反射率をＲ２（λ）、色Ｗ２（特色（赤）を印刷した印刷用紙Ｂ）の分光反射率をＲＷ２（λ）、色Ｗｄ（表面状態の異なる印刷用紙Ｃ）の分光反射率をＲＷｄ（λ）（上述の演算式を用いるので表記上分けたが同じものであるため数値は同じである）とする。なお、図８には、３８０ｎｍから７３０ｎｍの間の１０ｎｍ刻みの波長について測定した結果を示した。
【０１１２】
次に、分光反射率Ｒから分光濃度ＳＤを
Ｄ＝−０．５×ＬＯＧ１０（Ｒ）
の式により求める。ここで、色１の分光濃度をＳＤ１（λ）、色Ｗ１の分光濃度をＳＤＷ１（λ）、色２の分光濃度をＳＤ２（λ）、色Ｗ２の分光濃度をＳＤＷ２（λ）、色Ｗｄの分光濃度をＳＤＷｄ（λ）とする。さらに、色Ｍ１（印刷用紙Ｃに印刷したマゼンタ（Ｍ））の分光濃度ＳＤＭ１（λ）、色Ｍ２（印刷用紙Ｃに印刷した特色（赤））の分光濃度ＳＤＭ２（λ）、色Ｍ１２（印刷用紙Ｃにマゼンタ（Ｍ）に特色（赤）を刷り重ねて印刷した色）の分光濃度ＳＤＭ１２（λ）を、それぞれ、
ＳＤＭ１（λ）＝ｒ１×（ＳＤ１（λ）−ＳＤＷ１（λ））＋ＳＤＷｄ（λ）
ＳＤＭ２（λ）＝ｒ２×（ＳＤ２（λ）−ＳＤＷ２（λ））＋ＳＤＷｄ（λ）
ＳＤＭ１２（λ）＝ａ×ｒ１×（ＳＤ１（λ）−ＳＤＷ１（λ））＋ｂ×ｒ２×（ＳＤ２（λ）−ＳＤＷ２（λ））＋ＳＤＷｄ（λ）−ｃ×ａ×ｒ１×（ＳＤ１（λ）−ＳＤＷ１（λ））×ｂ×ｒ２×（ＳＤ２（λ）−ＳＤＷ２（λ））
の式により各波長について演算し、その結果を図９に示す。この時、各係数を、
透明度係数ａ＝０．８、トラッピング率係数ｂ＝０．９、刷り重ね補正係数ｃ＝０．７５、ｒ１＝１（印刷用紙Ａ及びＣは同一の上質紙であるため用紙間濃度調整係数は１）、ｒ２＝０．７５
とした。
【０１１３】
さらに次に、分光濃度ＳＤＭ１（λ）、ＳＤＭ２（λ）、ＳＤＭ１２（λ）から、表色系の値を求める。分光濃度から表色系の値を求める工程は、一般的に知られたものであるから概略のみ記述する。
【０１１４】
初めに、ＸＹＺ表色系の値のＸ、Ｙ、Ｚを求める。まず、分光濃度ＳＤＭ（λ）から各波長の分光反射率ＲＭ（λ）
ＲＭ（λ）＝１０＾（−２ＳＤＭ（λ））
（ただし、ａ＾ｂの表記は、ａのｂ乗を示す。）
の式により求め、Ｘは、ＲＭ（λ）にｘ（λ）を掛けた値を全波長（３８０ｎｍから７３０ｎｍ）について足し合わせて求め、Ｙは、ＲＭ（λ）にｙ（λ）を掛けた値を全波長（３８０ｎｍから７３０ｎｍ）について足し合わせて求め、Ｚは、ＲＭ（λ）にｚ（λ）を掛けた値を全波長（３８０ｎｍから７３０ｎｍ）について足し合わせて求める。このｘ（λ），ｙ（λ），ｚ（λ）は、ＣＩＥ（  Ｃｏｍｍｉｓｓｉｏｎ  Ｉｎｔｅｒｎａｔｉｏｎａｌｅ  ｄｅ  ｌ’Ｅｃｌａｉｒａｇｅ  （国際照明委員会））で定められているＣＩＥ１９３１  ＸＹＺ表色系等色関数ｘ（λ），ｙ（λ），ｚ（λ）（ＣＩＥ１９３１中では、このｘ，ｙ，ｚの上にはバー（−）が付けられている。）の値とＤ５０標準光源の値とを掛け合わせた値である。このようにして、
色Ｗｄ（印刷用紙Ｃの地色）のＸ、Ｙ、Ｚが、
（Ｘ、Ｙ、Ｚ）＝（７９．６４６３１８１、８２．５５８１１９４、６７．５７４９６３４）、
色Ｍ１（印刷用紙Ｃに印刷したマゼンタ（Ｍ））のＸ、Ｙ、Ｚが、
（Ｘ、Ｙ、Ｚ）＝（２９．５３１１４０４、１４．９５１１４９５、１４．９４５５１９２）、
色Ｍ２（印刷用紙Ｃに印刷した特色（赤））のＸ、Ｙ、Ｚが、
（Ｘ、Ｙ、Ｚ）＝（４９．４９６４３２８３、３２．４２７６８５８８、９．４２７０９７３７７）、
色Ｍ１２（印刷用紙Ｃにマゼンタ（Ｍ）に特色（赤）を刷り重ねて印刷した色）のＸ、Ｙ、Ｚが、
（Ｘ、Ｙ、Ｚ）＝（２８．８０４０９１４６、１４．５２３７６９４５、４．９０８０１１８１５）
と求まる。
【０１１５】
そして、ＸＹＺ表色系の値のＸ、Ｙ、Ｚから、Ｌ＊ａ＊ｂ＊表色系の値のＬ＊値、ａ＊値、ｂ＊値を求める。まず、
Ｘｄ＝Ｘ／Ｘ０、Ｙｄ＝Ｙ／Ｙ０、Ｚｄ＝Ｚ／Ｚ０とする。ただし、Ｘ０、Ｙ０、Ｚ０は、それぞれｘ（λ），ｙ（λ），ｚ（λ）を全波長（３８０ｎｍから７３０ｎｍ）について足し合わせた値である。そして、
Ｘ２＝Ｘｄ＾（１／３）              ；Ｘｄ＞０．００８８５６の場合
＝Ｘｄ×７．７８７＋１６／１１６；それ以外の場合
Ｙ２＝Ｙｄ＾（１／３）              ；Ｙｄ＞０．００８８５６の場合
＝Ｙｄ×７．７８７＋１６／１１６；それ以外の場合
Ｚ２＝Ｚｄ＾（１／３）              ；Ｚｄ＞０．００８８５６の場合
＝Ｚｄ×７．７８７＋１６／１１６；それ以外の場合
と、Ｘ２、Ｙ２、Ｚ２を求め、
Ｌ＊＝Ｙ２×１１６−１６
ａ＊＝５００×（Ｘ２−Ｙ２）
ｂ＊＝２００×（Ｙ２−Ｚ２）
と、Ｌ＊ａ＊ｂ＊表色系の値のＬ＊値、ａ＊値、ｂ＊値を求めて、
色Ｗｄ（印刷用紙Ｃの地色）のＬ＊ａ＊ｂ＊表色系の値が、
（Ｌ＊、ａ＊、ｂ＊）＝（９２．８２２８１０８２、０．０９２８１１８８６、０．５１０３４９０５２）、
色Ｍ１（印刷用紙Ｃに印刷したマゼンタ（Ｍ））のＬ＊ａ＊ｂ＊表色系の値が、
（Ｌ＊、ａ＊、ｂ＊）＝（４５．５６８４４７６１、７１．６６４９１９７５、−７．００５２０１１４１）、
色Ｍ２（印刷用紙Ｃに印刷した特色（赤））のＬ＊ａ＊ｂ＊表色系の値が、
（Ｌ＊、ａ＊、ｂ＊）＝（６３．６９６３９２１２、５６．８４４０７６５６、４０．３６２５８７９９）、
色Ｍ１２（印刷用紙Ｃにマゼンタ（Ｍ）に特色（赤）を刷り重ねて印刷した色）のＬ＊ａ＊ｂ＊表色系の値が、
（Ｌ＊、ａ＊、ｂ＊）＝（４４．９７６１２０６６、７１．４２９０４２１、２７．０６１５８０７６）
となる。また、図１０に、上記求めた、Ｘ、Ｙ、Ｚ、Ｘｄ＝Ｘ／Ｘ０、Ｙｄ＝Ｙ／Ｙ０、Ｚｄ＝Ｚ／Ｚ０、及び、Ｌ＊ａ＊ｂ＊表色系の値のＬ＊値、ａ＊値、ｂ＊値が一覧できるように示した。
【０１１６】
なお、本実施の形態は、分光濃度が測定可能な測定器を使用した場合について記したが、分光濃度が測定できず、Ｌ＊ａ＊ｂ＊表色系やＸＹＺ表色系の値と濃度の値のみしか測定できない測定器の場合には、特願２００３−２９２８８９のような方法により複数の濃度値を求めて分光濃度の代わりに用いることが可能である。
【図面の簡単な説明】
【０１１７】
【図１】本発明に係るカラープルーフ作成装置の構成を示す機能ブロック図である。
【図２】本実施の形態の色特性テーブルの構成の一例を示す説明図である。
【図３】本実施の形態の係数テーブルの構成の一例を示す説明図である。
【図４】本実施の形態の色テーブルの構成の一例を示す説明図である。
【図５】本実施の形態のカラーチャンネルテーブルの構成の一例を示す説明図である。
【図６】本発明の色推定方法の手順を示すフローチャートである。
【図７】本発明の色推定方法を適用したカラープルーフ作成装置における処理手順を示すフローチャートである。
【図８】マゼンタ（Ｍ）の分光反射率Ｒ１（λ）、印刷用紙Ａの地色の分光反射率ＲＷ１（λ）、特色（赤）の分光反射率Ｒ２（λ）、印刷用紙Ｂの地色の分光反射率ＲＷ２（λ）、及び、印刷用紙Ｃの地色の分光反射率ＲＷｄ（λ）の測定結果を示す図である。
【図９】図８に示した各分光反射率から求まる各分光濃度と、本発明の色推定方法により得られる色の分光濃度ＳＤＭ１（λ）、ＳＤＭ２（λ）、及び、ＳＤＭ１２（λ）を示す図である。
【図１０】本実施の形態における色推定方法を用いて行った色推定結果の一例を示す図である。
【符号の説明】
【０１１８】
１  制御部
２  色演算部
２１  色演算手段
２２  色特性テーブル
２３  係数テーブル
２４  色テーブル
２５  入力手段
３  カラーチャンネル作成部
３１  カラーチャンネル演算手段
３２  参照テーブル
３３  カラーチャンネルテーブル
４  画像記録部
【図１】
2005142994.tif 000003
【図２】
2005142994.tif 000004
【図３】
2005142994.tif 000005
【図４】
2005142994.tif 000006
【図５】
2005142994.tif 000007
【図６】
2005142994.tif 000008
【図７】
2005142994.tif 000009
【図８】
2005142994.tif 000010
【図９】
2005142994.tif 000011
【図１０】
2005142994.tif 000012